【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
入力色データを黒色成分を含む複数の色成分で示される出力データに変換する色処理方法であって、
デスティネーションプロファイルに応じたデバイス依存のデータからデバイス非依存のデータに変換する第１の変換データから、明るさ成分値を黒色成分値に変換する明るさ成分−黒色成分変換データを生成し、
入力色データが無彩色を示す色データであるか否かを判定し、
前記入力色データが無彩色を示す色データであると判定された場合は、明るさ成分−黒色成分変換データを用いて、前記入力色データを黒単色の出力色ーデータに変換する色処理方法であり、
前記変換は、
前記入力色データが無彩色を示す色データであると判定された場合は、
ソースプロファイルに応じたデバイス依存のデータからデバイス非依存のデータに変換する第２の変換データを用いて、前記入力色データをデバイス非依存のデータに変換し、
前記デスティネーションプロファイルに応じたデバイス非依存のデータからデバイス依存のデータに変換する第３の変換データを用いて、前記変換されたデバイス非依存のデータをデスティネーションデバイス依存のデータに変換し、
前記明るさ成分−黒色成分変換データを用いて、前記変換されたデスティネーションデバイス依存のデータの明るさ成分の明度と同等の明度を有する黒単色の出力色ーデータを求め、
前記入力色データが無彩色を示す色データでないと判定された場合は、
前記第２の変換データおよび前記第３の変換データを用いて、入力色データを黒色成分を含む複数の色成分で示される出力データに変換することを特徴とする色処理方法。
【請求項２】
入力色データを黒色成分を含む複数の色成分で示される出力データに変換する色処理方法であって、
デスティネーションプロファイルに応じたデバイス依存のデータからデバイス非依存のデータに変換する第１の変換データから、明るさ成分値を黒色成分値に変換する明るさ成分−黒色成分変換データを生成し、
入力色データが無彩色を示す色データであるか否かを判定し、
前記入力色データが無彩色を示す色データであると判定された場合は、明るさ成分−黒色成分変換データを用いて、前記入力色データを黒単色の出力色ーデータに変換する色処理方法であり、
前記変換は、
前記入力色データが無彩色を示す色データであると判定された場合は、
ソースプロファイルに応じたデバイス依存のデータからデバイス非依存のデータに変換する第２の変換データを用いて、入力色データをデバイス非依存のデータに変換し、
デスティネーションデバイスの色再現範囲に応じた色空間圧縮処理を、前記変換されたデバイス非依存データに対して行い、
前記明るさ成分−黒色成分変換データを用いて、前記前記色空間圧縮されたデータの明度と同等の明度を有する黒単色の出力色ーデータを求め、
前記入力色データが無彩色を示す色データでないと判定された場合は、
前記第２の変換データ、前記色空間圧縮処理、およびデバイス非依存データをデスティネーションデバイス依存のデータに変換する第３の変換データを用いて、前記入力色データを黒色成分を含む複数の色成分で示される出力データに変換することを特徴とする色処理方法。
【請求項３】
前記入力色データは黒色成分を含む複数の色成分で示され、
前記判定は、前記入力色データの黒色成分以外の色成分値が大略０であるか否かを判定することを特徴とする請求項１記載の色処理方法。
【請求項４】
前記入力色データは赤、青、緑色成分で示され、
前記判定は、赤色成分値、青色成分値、緑色成分値が大略等しいか否かを判定することを特徴とする請求項１記載の色処理方法。
【請求項５】
請求項１乃至４のいずれかに記載の色処理方法をコンピュータを用いて実現するためのプログラム。
【請求項６】
入力色データを黒色成分を含む複数の色成分で示される出力データに変換する色処理装置であって、
デスティネーションプロファイルに応じたデバイス依存のデータからデバイス非依存のデータに変換する第１の変換データから、明るさ成分値を黒色成分値に変換する明るさ成分−黒色成分変換データを生成する生成手段と、
入力色データが無彩色を示す色データであるか否かを判定する判定手段と、
前記入力色データが無彩色を示す色データであると判定された場合は、明るさ成分−黒色成分変換データを用いて、前記入力色データを黒単色の出力色ーデータに変換する変換手段とを有し、
前記変換手段は、
前記入力色データが無彩色を示す色データであると判定された場合は、
ソースプロファイルに応じたデバイス依存のデータからデバイス非依存のデータに変換する第２の変換データを用いて、前記入力色データをデバイス非依存のデータに変換し、
前記デスティネーションプロファイルに応じたデバイス非依存のデータからデバイス依存のデータに変換する第３の変換データを用いて、前記変換されたデバイス非依存のデータをデスティネーションデバイス依存のデータに変換し、
前記明るさ成分−黒色成分変換データを用いて、前記変換されたデスティネーションデバイス依存のデータの明るさ成分の明度と同等の明度を有する黒単色の出力色ーデータを求め、
前記入力色データが無彩色を示す色データでないと判定された場合は、
前記第２の変換データおよび前記第３の変換データを用いて、入力色データを黒色成分を含む複数の色成分で示される出力データに変換することを特徴とする色処理装置。
【請求項７】
入力色データを黒色成分を含む複数の色成分で示される出力データに変換する色処理装置であって、
デスティネーションプロファイルに応じたデバイス依存のデータからデバイス非依存のデータに変換する第１の変換データから、明るさ成分値を黒色成分値に変換する明るさ成分−黒色成分変換データを生成する生成手段と、
入力色データが無彩色を示す色データであるか否かを判定する判定手段と、
前記入力色データが無彩色を示す色データであると判定された場合は、明るさ成分−黒色成分変換データを用いて、前記入力色データを黒単色の出力色ーデータに変換する変換手段とを有し、
前記変換手段は、
前記入力色データが無彩色を示す色データであると判定された場合は、
ソースプロファイルに応じたデバイス依存のデータからデバイス非依存のデータに変換する第２の変換データを用いて、入力色データをデバイス非依存のデータに変換し、
デスティネーションデバイスの色再現範囲に応じた色空間圧縮処理を、前記変換されたデバイス非依存データに対して行い、
前記明るさ成分−黒色成分変換データを用いて、前記前記色空間圧縮されたデータの明度と同等の明度を有する黒単色の出力色ーデータを求め、
前記入力色データが無彩色を示す色データでないと判定された場合は、
前記第２の変換データ、前記色空間圧縮処理、およびデバイス非依存データをデスティネーションデバイス依存のデータに変換する第３の変換データを用いて、前記入力色データを黒色成分を含む複数の色成分で示される出力データに変換することを特徴とする色処理装置。
【手続補正２】
【補正対象書類名】明細書
【補正対象項目名】００２３
【補正方法】変更
【補正の内容】
【００２３】
本願請求項１記載の発明は、入力色データを黒色成分を含む複数の色成分で示される出力データに変換する色処理方法であって、デスティネーションプロファイルに応じたデバイス依存のデータからデバイス非依存のデータに変換する第１の変換データから、明るさ成分値を黒色成分値に変換する明るさ成分−黒色成分変換データを生成し、入力色データが無彩色を示す色データであるか否かを判定し、前記入力色データが無彩色を示す色データであると判定された場合は、明るさ成分−黒色成分変換データを用いて、前記入力色データを黒単色の出力色ーデータに変換する色処理方法であり、前記変換は、前記入力色データが無彩色を示す色データであると判定された場合は、ソースプロファイルに応じたデバイス依存のデータからデバイス非依存のデータに変換する第２の変換データを用いて、前記入力色データをデバイス非依存のデータに変換し、前記デスティネーションプロファイルに応じたデバイス非依存のデータからデバイス依存のデータに変換する第３の変換データを用いて、前記変換されたデバイス非依存のデータをデスティネーションデバイス依存のデータに変換し、前記明るさ成分−黒色成分変換データを用いて、前記変換されたデスティネーションデバイス依存のデータの明るさ成分の明度と同等の明度を有する黒単色の出力色ーデータを求め、前記入力色データが無彩色を示す色データでないと判定された場合は、前記第２の変換データおよび前記第３の変換データを用いて、入力色データを黒色成分を含む複数の色成分で示される出力データに変換することを特徴とする。
【手続補正３】
【補正対象書類名】明細書
【補正対象項目名】００２４
【補正方法】変更
【補正の内容】
【００２４】
本願請求項２記載の発明は、入力色データを黒色成分を含む複数の色成分で示される出力データに変換する色処理方法であって、デスティネーションプロファイルに応じたデバイス依存のデータからデバイス非依存のデータに変換する第１の変換データから、明るさ成分値を黒色成分値に変換する明るさ成分−黒色成分変換データを生成し、入力色データが無彩色を示す色データであるか否かを判定し、前記入力色データが無彩色を示す色データであると判定された場合は、明るさ成分−黒色成分変換データを用いて、前記入力色データを黒単色の出力色ーデータに変換する色処理方法であり、前記変換は、前記入力色データが無彩色を示す色データであると判定された場合は、ソースプロファイルに応じたデバイス依存のデータからデバイス非依存のデータに変換する第２の変換データを用いて、入力色データをデバイス非依存のデータに変換し、デスティネーションデバイスの色再現範囲に応じた色空間圧縮処理を、前記変換されたデバイス非依存データに対して行い、前記明るさ成分−黒色成分変換データを用いて、前記前記色空間圧縮されたデータの明度と同等の明度を有する黒単色の出力色ーデータを求め、前記入力色データが無彩色を示す色データでないと判定された場合は、前記第２の変換データ、前記色空間圧縮処理、およびデバイス非依存データをデスティネーションデバイス依存のデータに変換する第３の変換データを用いて、前記入力色データを黒色成分を含む複数の色成分で示される出力データに変換することを特徴とする。